(57)【要約】【課題】空気フィルタの作動に支障が生じないようにする。【解決手段】ベント付きバイアルアダプタを備えた液剤移送デバイスであって、液剤移送デバイスは、上壁と、下方に垂下したスカート部と、二流れ穿刺スパイクとを持つベント付きバイアルアダプタを含む。上壁は、その下に配置された空気フィルタと流れ連通したベント穴と、飛沫が入らないようにこれらのベント穴を覆う保護フードとを含む。フード状フードは、好ましくは、フード穴が半径方向外方に面する四分球形状を有する。【選択図】図１
2013520273.tif 000002
【特許請求の範囲】
【請求項１】
医薬品用のバイアルで使用するための液剤移送デバイスであって、
前記医薬品用のバイアルは、
薬剤を収容したボトルと、
バイアルストッパによって塞がれたバイアル開口部と、
前記ボトルと前記バイアル開口部との間に設けられた狭幅のネックとを有しており、
前記液剤移送デバイスは、ベント付きバイアルアダプタを備え、該ベント付きバイアルアダプタは、
長さ方向バイアル軸線を持ち、前記長さ方向軸線に対して横方向に延びる上壁と、
実質的に円筒形のスカート部とを含み、該スカート部は、前記バイアル開口部を内部に入れ子式に摺動自在受け入れることができるように、前記上壁に弾性的に取り付けられ前記上壁から下方に垂下した撓み部材を有しており、環状空気フィルタが前記上壁の下に配置されており、
前記液剤移送デバイスは、また、前記バイアルストッパを穿刺して前記ボトルの内部と流れ連通できるように、下方に垂下した二内腔穿刺スパイクを備え、前記二内腔穿刺スパイクは、前記上壁と隣接したベースと、穿刺チップとを含み、前記穿刺チップは、軸線方向に差し向けられた一対の内腔を含み、前記内腔は、前記ベースから前記穿刺チップまで延びており、前記軸線方向に差し向けられた一対の内腔は、液体移送内腔及びベント内腔を含み、
前記液剤移送デバイスは、また、
前記液体移送内腔と流れ連通した液体移送ポートと、
前記上壁に形成され、前記空気フィルタを介して前記ベント内腔と流れ連通する、軸線方向に差し向けられた少なくとも一つのベント穴とを備え、
前記液体移送ポート及び前記少なくとも一つのベント穴は、前記バイアルを前記バイアルアダプタ内に摺動可能に受け入れたとき、前記ボトルと流れ連通し、
前記上壁には、前記少なくとも一つのベント穴と同数の少なくとも一つの保護フードが形成されており、前記少なくとも一つのベント穴の各ベント穴は、前記長さ方向バイアル軸線に沿った前記ベント付きバイアルアダプタの平面図で、前記同数の少なくとも一つの保護フードによって個々に覆われており、
各保護フードは、前記長さ方向バイアル軸線に関して半径方向外方に向くフード穴を有することを特徴とする、デバイス。
【請求項２】
請求項１に記載のデバイスにおいて、
前記保護フードの各々は、球の４分の一の形状を有する、デバイス。
【請求項３】
請求項１又は２に記載のデバイスにおいて、更に、
前記液体アクセスポートをシールするための手作業で配置されたキャップを含む、デバイス。
【発明の詳細な説明】
【技術分野】
【０００１】
本発明は、全体として液剤（液状薬）移送デバイスに関し、詳細には、ベント付き（通気口付き）バイアルアダプタ含む液剤移送デバイスに関する。
【背景技術】
【０００２】
ニードスピアールジュニア等に賦与された米国特許第６，１３９，５３４号には、ベント付きバイアルアダプタによって形成された液剤移送デバイスが例示されており且つ記載されている。ベント付きバイアルアダプタは、長さ方向バイアル軸線を持ち、軸線方向に差し向けられた一連のベント穴が設けられた上壁と、一連のベント穴の下に配置された環状空気フィルタと、バイアルを内部に入れ子式に受け入れるための下方に垂下したスカートと、下方に垂下した中央二内腔穿刺スパイクと、逆方向に差し向けられた中央液体移送ポートとを含む。二内腔穿刺スパイクは、軸線方向に差し向けられた一対の隣接した内腔、即ち液体移送内腔及びベント内腔を含む。液体移送内腔は、液体移送ポートと連通している。ベント穴は、空気フィルタを介してベント内腔と連通している。ベント付きバイアルアダプタは、バイアル内容物の無菌性を維持するため、エラストマー製プレスプリット隔膜を含む。ベント付きバイアルアダプタを使用した場合、液剤内容物が、一つ又はそれ以上のベント穴のうちの一つ又はそれ以上に不時に出て液剤内容物の飛沫を形成し、これによってその下の空気フィルタの作動に支障が生じる程に濡らしてしまう場合がある。
【０００３】
ベント付きバイアルアダプタを含む液剤移送デバイスは、更に、とりわけ、リトソンに賦与された米国特許第４，８３４，７４４号、ニードスピアールジュニア等に賦与された米国特許第６，５０３，２４０号、米国特許第６，５４４，２４６号、米国特許第６，６５５，２４６号、米国特許第６，９９７，９１７号、及び米国特許第７，７９９，００９号、ウォンに賦与された米国特許第７，１９２，４２３号、ハセガワに賦与された米国特許第７，４５２，３４８号、ウォルシュの米国特許出願第２００７／０１５６１１２号、及びヨーの米国特許出願第２００８／０１７２０２４号に例示されており且つ記載されている。
【先行技術文献】
【特許文献】
【０００４】
【特許文献１】米国特許第６，１３９，５３４号
【特許文献２】米国特許第４，８３４，７４４号
【特許文献３】米国特許第６，５０３，２４０号
【特許文献４】米国特許第６，５４４，２４６号
【特許文献５】米国特許第６，６５５，２４６号
【特許文献６】米国特許第６，９９７，９１７号
【特許文献７】米国特許第７，７９９，００９号
【特許文献８】米国特許第７，１９２，４２３号
【特許文献９】米国特許第７，４５２，３４８号
【特許文献１０】米国特許出願第２００７／０１５６１１２号
【特許文献１１】米国特許出願第２００８／０１７２０２４号
【発明の概要】
【発明が解決しようとする課題】
【０００５】
本発明は、本明細書中に説明したベント付きバイアルアダプタを備えた液剤移送デバイスに関する。本発明は、液剤内容物が、ドレン（排出）、飛沫、等によってベント穴に入り、その下の空気フィルタを作動に支障が生じる程に濡らすことがないようにするため、ベント穴を覆うための個々の保護フードをこのようなベント付きバイアルアダプタに設けることに関する。本発明は、内容物の無菌性を維持するため、液体アクセスポートに手作業で配置するキャップを含んでいてもよい。別の態様では、本発明は、バイアル内容物の無菌性を維持するためのエラストマー製プレスプリット隔膜（または、隔壁）を含んでいてもよい。
【課題を解決するための手段】
【０００６】
本発明は、１３ｍｍ、２０ｍｍ、等の様々な大きさのバイアルで使用するための、ベント付きバイアルアダプタを含む様々な液剤移送デバイスに等しく適用できる。液剤移送デバイスは、雌バイアルアダプタ、雄バイアルアダプタ、等を含むバイアルアダプタ自体によって形成されていてもよい。この他の液剤移送デバイスには、例えば、本願と所有者が共通する、ジンガー等に賦与された米国特許第６，５５８，３６５号に例示されており且つ記載された液剤移送デバイス、本願と所有者が共通する、ＰＣＴ国際公開第ＷＯ２００５／１０５０１４号、等に例示されており且つ記載されたインライン液剤移送デバイスが含まれる。
【０００７】
本発明を理解し、これを実際に実施する方法を理解するため、同様の部分に同様の参照番号を付した添付図面を参照して好ましい実施例を以下に単なる非限定的例として説明する。
【図面の簡単な説明】
【０００８】
【図１】図１は、注射器、バイアル、及び長さ方向バイアル軸線を持つベント付き雌バイアルアダプタの斜視図である。
【図２】図２は、長さ方向バイアル軸線に沿ったベント付きバイアルアダプタの平面図である。
【図３】図３は、図２のＡ−Ａ線に沿った図１のベント付きバイアルアダプタの長さ方向断面図である。
【図４】図４は、図２のＢ−Ｂ線に沿った図１のベント付きバイアルアダプタの長さ方向断面図である。
【図５】図５は、取り外し可能なベント付き（通気口付き）バイアルアダプタを備えた液剤移送デバイスの斜視図である。
【発明を実施するための形態】
【０００９】
図１は、生理液源を構成する注射器１０と、医薬品用バイアル２０と、液剤移送デバイス３０とを示している。液剤移送デバイス３０は、注射器１０及びバイアル２０とともに使用するためのベント付き雌バイアルアダプタによって構成されている。注射器１０は、プランジャー１２と雄ルアーコネクタ１３とを備えたバレル（筒部）１１を有している。注射器１０には、この他の種類の雄コネクタが形成されていてもよい。バイアル（容器、薬瓶など）２０は、バイアルストッパ２２によってシールされた、頂部が開放したボトル２１を含む。バイアルストッパ２２は、金属製バンド２３によって覆われている。バイアル２０には、散剤又は液剤２４のいずれかが負圧下で入っている。注射器１０には、代表的には、バイアル内容物２４を復元するための希釈剤が入っている。
【００１０】
図１乃至図４は、ベント付き雌バイアルアダプタ３０を示す。バイアルアダプタ３０は、長さ方向バイアル軸線３１を有し、横断方向に延在する上壁３２を備えている。上壁３２は、下方に垂下したスカート部３３を有している。スカート部３３は、バイアル２０にスナップ嵌めするための撓み部材３４を備えている。バイアルアダプタ３０は、下方に垂下した二内腔穿刺スパイク３６を有している。二内腔穿刺スパイク３６は、スカート部３３がバイアル２０にスナップ嵌めするときに、バイアルストッパ２２を穿刺できるようになっている。穿刺スパイク３６は、上壁３２に近いベース３６Ａを含み、スパイクチップ３６Ｂで終端する。穿刺スパイク３６は、軸線方向に差し向けられた一対の内腔（管腔）、即ち液体移送内腔３７とベント内腔３８とを含む。液体移送内腔３７は、スパイクチップ３６Ｂの近くにポート３７Ａを含む。ベント内腔３８は、スパイクチップ３６Ｂの近くにポート３８Ａを含む。
【００１１】
バイアルアダプタ３０は、更に、中央軸線に向かって差し向けられた液体移送ポート３９を含む。液体移送ポート３９は、穿刺スパイク３６とは逆方向に差し向けられており、液体移送内腔３７と流れ連通している。液体移送ポート３９は、注射器の雄ルアーコネクタ１３に螺着するため、雌ルアーコネクタ４１で終端している。
【００１２】
上壁３２には、直径方向に沿って両側に設けられ軸線方向に差し向けられた一対のベント穴４３が設けられている。環状空気フィルタ４４が、上壁３２の下に配置されている。ベント穴４３は、空気フィルタ４４を介してベント内腔３８と流れ連通している。空気フィルタ４４は、バイアルストッパ２２の穿刺時に、バイアル２０に吸い込まれる空気を濾過する。
【００１３】
上壁３２には、図２の平面図で見てベント穴４３を覆うことができるように、ベント穴４３の上方に取り付けられた一対の保護フード４６が形成されている。これらの保護フード４６は、好ましくは、球の４分の一の形状（四分球形状）である。各保護フード４６には、上壁３２の上方に、長さ方向バイアル軸線３１に対して半径方向外方に向くフード穴４７が設けられている。保護フード４６によって、バイアルアダプタ３０の使用中に、不注意で、液剤内容物がベント穴４３を通って空気フィルタ４４を濡らすことがないようにしている。
【００１４】
図５は、ベント付きバイアルアダプタ３０と同様の取り外し自在のベント付きバイアルアダプタ５１を備えた米国特許第６，５５８，３６５号の液剤移送デバイス５０を示す。
本発明を限られた数の実施例に関して説明したが、本発明の多くの変形、変更、及び他の用途は、添付の特許請求の範囲の範疇に含まれるということは理解されよう。
【符号の説明】
【００１５】
１０  注射器
１１  バレル
１２  プランジャー
１３  雄ルアーコネクタ
２０  医薬品用バイアル
２１  ボトル
２２  バイアルストッパ
２３  金属製バンド
２４  液剤
３０  液剤移送デバイス
３１  長さ方向バイアル軸線
３２  横上壁
３３  スカート部
３４  撓み部材
３６  二内腔穿刺スパイク
３６Ａ  ベース
３６Ｂ  スパイクチップ
３７  液体移送内腔
３７Ａ  ポート
３８  ベント内腔
３８Ａ  ポート
３９  液体移送ポート
４１  雌ルアーコネクタ
４３  ベント穴
４４  環状空気フィルタ
４６  保護フード
４７  フード穴
５０  液剤移送デバイス
５１  ベント付きバイアルアダプタ
【図１】
2013520273.tif 000003
【図２】
2013520273.tif 000004
【図３】
2013520273.tif 000005
【図４】
2013520273.tif 000006
【図５】
2013520273.tif 000007
【国際調査報告】
2013520273.tif 000008
2013520273.tif 000009